(57)【要約】プラグの脱離が容易なコンセントユニット及びこれを利用したマルチタップコンセント装置に関する。プラグが挿入されるプラグ挿入口と、プラグ挿入口の底面を形成し、板面に前記プラグの端子が挿入される一対の端子孔が形成された底面プレートと、底面プレートの下部に設置され、プラグの端子が接続される一対の電極を有するコンセント本体と；板面に前記プラグの端子が通過する一対のプラグ挿通孔が形成され、プラグの端子がプラグ挿通孔及び端子孔を通じて電極に接続可能になるように下降させる接続位置とプラグの端子が電極から脱離するようにプラグを上昇させる接続解除位置との間を移動可能にプラグ挿入口に昇降移動可能に設置される脱離プレートと；脱離プレートが接続位置に位置した状態で、使用者の操作によって、脱離プレートを接続解除位置に上昇させる脱離操作モジュールとを含む。
2015524153.tif 000002
【特許請求の範囲】
【請求項１】
プラグの脱離が容易なコンセントユニットにおいて、
前記プラグが挿入されるプラグ挿入口と、前記プラグ挿入口の底面を形成し、板面に前記プラグの端子が挿入される一対の端子孔が形成された底面プレートと、前記底面プレートの下部に設置されて、前記プラグの端子が接続される一対の電極を有するコンセント本体と；
板面に前記プラグの端子が挿通する一対のプラグ挿通孔が形成され、前記プラグの端子が前記プラグ挿通孔及び前記端子孔を通じて前記電極に接続可能になるように下降させる接続位置と前記プラグの端子が前記電極から分離されるように前記プラグを上昇させる接続解除位置との間を移動可能に前記プラグ挿入口に昇降移動可能に設置される脱離プレートと；
前記脱離プレートが前記接続位置に位置した状態で、使用者の操作によって、前記脱離プレートを前記接続解除位置に上昇させる脱離操作モジュールとを含むことを特徴とするプラグの脱離が容易なコンセントユニット。
【請求項２】
前記脱離操作モジュールは、前記脱離プレートの下部面と接触されるプレート接触部と、前記コンセント本体に回転可能に設置される回転軸部と、前記回転軸部を挟んで前記プレート接触部の反対側に設けられるプッシュ接触部とを有する作動レバーと；
前記コンセント本体に昇降移動可能に設置され、前記プレート接触部が前記脱離プレートを前記接続解除方向へ上昇させるように前記プッシュ接触部を下降させて、前記作動レバーを前記回転軸部を軸として回転させるプッシュボタンとを含むことを特徴とする請求項１に記載のプラグの脱離が容易なコンセントユニット。
【請求項３】
前記プラグの接続時、前記プラグを接地させる接地部材をさらに含み；
前記接地部材は前記プラグ挿入口の内側壁面に露出されて、前記プラグが接地される一対の接地部と、前記底面プレートの下部で前記一対の接地部を連結する連結部とが一体で形成されることを特徴とする請求項２に記載のプラグの脱離が容易なコンセントユニット。
【請求項４】
前記連結部は前記作動レバーの長さ方向に沿って延長され；
前記作動レバーには前記一対の接地部の内の何れか一つが通過する接地通過孔が上下方向に形成されることを特徴とする請求項３に記載のプラグの脱離が容易なコンセントユニット。
【請求項５】
前記底面プレートには、前記作動レバーの前記プレート接触部が前記脱離プレートの下部面と接触可能に前記プレート接触部が挿通するレバー挿通孔が形成されることを特徴とする請求項２に記載のプラグの脱離が容易なコンセントユニット。
【請求項６】
前記コンセント本体は、前記プラグ挿入口及び前記底面プレートを含んで構成される上部本体と、前記上部本体の下部に結合される下部本体とを含み；
前記作動レバーの前記回転軸部は前記上部本体と前記下部本体との間に回転可能に設置されることを特徴とする請求項２に記載のプラグの脱離が容易なコンセントユニット。
【請求項７】
前記脱離プレートから前記底面プレートに向けて延長される一対の昇降ガイドバーと；
前記上部本体の前記プラグ挿入口の内側壁面に形成されて、前記脱離プレートの昇降移動時、上記一対の昇降ガイドバーの昇降移動を案内する昇降ガイド溝をさらに含むことを特徴とする請求項６に記載のプラグの脱離が容易なコンセントユニット。
【請求項８】
前記昇降ガイドバーの下部辺縁領域に設けられる係止突起部と；
前記昇降ガイド溝に形成されて、前記昇降ガイドバーの昇降移動の時、前記脱離プレートが前記プラグ挿入口の上部への離脱を阻止するように前記係止突起部が係止される係止溝とをさらに含むことを特徴とする請求項７に記載のプラグの脱離が容易なコンセントユニット。
【請求項９】
プラグの脱離が容易なマルチタップコンセント装置において、請求項１乃至８の何れか１項に記載の複数のコンセントユニットと、前記複数のコンセントユニットにそれぞれ対応して、前記各コンセントユニットが上部に露出されるユニット露出口が形成された上部ケースと、前記複数のコンセントユニットを挟んで前記上部ケースと結合されて前記複数のコンセントユニットを収容支持する下部ケースとを含み；
前記それぞれのコンセントユニットに適用される一対の電極は前記下部ケースの板面に設置されることを特徴とするプラグの脱離が容易なマルチタップコンセント装置。
【請求項１０】
前記複数のコンセントユニットのそれぞれの前記底面プレートの下部に相互対向するように複数のコンセントユニットの設置方向に沿って設置される一対の電源ライン部材をさらに含み；
前記各コンセントユニットに適用される一対ずつの前記電極は前記一対の電源ライン部材にそれぞれ形成されることを特徴とする請求項９に記載のプラグの脱離が容易なマルチタップコンセント装置。
【請求項１１】
前記各コンセントユニットは前記底面プレートの下部に設けられて、一対ずつの前記電極がそれぞれ結合される一対の電極結合部をさらに含むことを特徴とする請求項１０に記載のプラグの脱離が容易なマルチタップコンセント装置。
【請求項１２】
前記各電極は前記電極挿入部に挿入された状態で、前記プラグの端子が挿入されて電気的に連結する円筒状の電極連結部と、前記電極連結部から半径方向外側へ相互対向するように延長された一対の弾性結合部とを含み；
前記各電極結合部は、前記電極連結部が挿入される内径が円筒状の電極挿入孔と、前記電極挿入孔の一領域が截取されて形成され、前記電極連結部が前記電極挿入孔に挿入される時、上記一対の電極挿入孔に弾性的に挿入される結合截取部とを含むことを特徴とする請求項１１に記載のプラグの脱離が容易なマルチタップコンセント装置。
【請求項１３】
前記各電極結合部は前記電極挿入孔の一領域が截取されて形成され、前記電極連結部が前記電極結合孔に挿入される時、前記電源ライン部材が挿入されるライン截取部をさらに含むことを特徴とする請求項１２に記載のプラグの脱離が容易なマルチタップコンセント装置。
【請求項１４】
前記複数のコンセントユニットは円形に配置され；
前記上部ケース及び前記下部ケースの外径は円形に設けられ；
前記上部ケースと前記下部ケースの外径によって電源ケーブルの巻取のためのケーブル巻線部が設けられることを特徴とする請求項９に記載のプラグの脱離が容易なマルチタップコンセント装置。
【請求項１５】
前記上部ケース及び前記下部ケースのうち少なくとも何れかの一方に半径方向内側及び外側に移動可能に設置されて、前記ケーブル巻線部に巻取された電源ケーブルを半径方向内側に加圧する少なくとも一つのケーブル加圧部をさらに含むことを特徴とする請求項１４に記載のプラグの脱離が容易なマルチタップコンセント装置。
【発明の詳細な説明】
【技術分野】
【０００１】
本発明は、プラグの脱離が容易なコンセントユニット及びこれを利用したマルチタップコンセント装置に関するもので、より詳しくは、コンセントユニットからプラグの脱離が容易でありながら、コンセントユニット単位で製作が可能で、２つ又はそれ以上のコンセントユニットで構成されるマルチタップコンセント装置の製作が容易で、プラグの脱離が容易なコンセントユニット及びこれを利用したマルチタップコンセント装置に関するものである。
【背景技術】
【０００２】
コンセントは屋外から供給される電気供給源と連結されて電力を受け、その供給された電力を各プラグを通じて室内の各目的地に供給する役割を果たすもので、各種電気器具のプラグを挿入する形態に製作される。
【０００３】
図１は通常のコンセントの構成を示した図面である。図１を参照して説明すれば、通常のコンセント２０は上部に凹部２５が形成された上部ケース２３と上記上部ケース２３の下部に締結される下部ケース２１とで構成される。
【０００４】
上記凹部２５には各種電気器具に連結されたプラグ３０の接続棒３１が挿入される接続孔２１が形成され、上記下部ケース２１の内側には上記プラグ３０の接続棒３１と接続される複数の接続端子（未図示）が具備される。
【０００５】
使用者がプラグ３０の取っ手３５を持ち、接続棒３１をコンセント２０の接続孔２１に挿入すると、接続棒３１は接続孔２１の下部の接続端子に挿入され電源に接続される。このような接続状態は感電を防止するため、又はプラグ３０の離脱を防止するために、非常に緊密性を保持している。
【０００６】
従って、このような状態で電気器具の使用後、プラグ３０をコンセント２０から引き抜こうとする場合には相当な力が必要となる。
【０００７】
通常、プラグ３０をコンセント２０から引き抜く場合、片方の手でコンセント２０を持ち、反対の手でプラグ３０を持って勢いよく引っ張らなければならない。しかし、接続棒３１と接続端子が緊密に接続されているため、プラグを引き抜くことは困難であり、特に主婦の場合、不注意で水に濡れた手でコンセント２０からプラグ３０を引き抜くことによる感電事故が発生しうるといった問題点があった。
【発明の開示】
【発明が解決しようとする課題】
【０００８】
そこで、本発明は上記のような問題点を解消するために案出されたもので、プラグの引き抜きが容易なコンセントユニットを提供することにその目的がある。
【０００９】
また、本発明は一つのプラグを接続するコンセントをユニット単位で製作して、２つ又はそれ以上のコンセントユニットで構成される、製作が容易なマルチタップコンセント装置を提供することにその目的がある。
【００１０】
そして、本発明はマルチタップコンセント装置の製作において、構造を簡素化して製作が容易なマルチタップコンセント装置を提供することにその目的がある。
【課題を解決するための手段】
【００１１】
上記目的は、本発明によるプラグの引き抜きが容易なコンセントユニットにおいて、上記プラグが挿入されるプラグ挿入口と、上記プラグ挿入口の底面を形成し、板面に上記プラグの端子が挿入される一対の端子孔が形成された底面プレートと、上記底面プレートの下部に設置されて、上記プラグの端子が接続される一対の電極を有するコンセント本体と；板面に上記プラグの端子を挿通する一対のプラグ挿通孔が形成され、上記プラグの端子が上記プラグ挿通孔及び上記端子孔を通じて上記電極に接続可能になるように下降させる接続位置と、上記プラグの端子が上記電極から脱離するように上記プラグを上昇させる接続解除位置との間を移動可能に上記プラグ挿入口に昇降移動可能に設置される脱離プレートと；上記脱離プレートが上記接続位置に位置した状態で、使用者の操作によって、上記脱離プレートを上記接続解除位置に上昇させる脱離操作モジュールとを含むことを特徴とするプラグの脱離が容易なコンセントユニットによって達成される。
【００１２】
ここで、上記脱離操作モジュールは、上記脱離プレートの下部面と接触するプレート接触部と、上記コンセント本体に回転可能に設置される回転軸部と、上記回転軸部を挟んで上記プレート接触部の反対側に設けられるプッシュ接触部を有する作動レバーと；上記コンセント本体に昇降移動可能に設置され、上記プレート接触部が上記脱離プレートを上記接続解除方向に上昇させるように上記プッシュ接触部を下降させて、上記作動レバーを上記回転軸部を軸に回転させるプッシュボタンとを含むことができる。
【００１３】
そして、上記プラグの接続時、上記プラグを接地させる接地部材をさらに含み；上記接地部材は上記プラグ挿入口の内側壁面に露出して、上記プラグを接地させる一対の接地部と、上記底面プレートの下部で上記一対の接地部を連結する連結部とを一体で形成することができる。
ここで、上記連結部は上記作動レバーの長さ方向に沿って延長し；上記作動レバーには上記一対の接地部の内の何れか一つが挿通する接地挿通孔を上下方向に形成することができる。
そして、上記底面プレートには、上記作動レバーの上記プレート接触部が上記脱離プレートの下部面と接触可能に上記プレート接触部が挿通するレバー挿通孔が形成されることができる。
【００１４】
そして、上記コンセント本体は、上記プラグ挿入口及び上記底面プレートを含んで構成される上部本体と、上記上部本体の下部に結合される下部本体とを含み；上記作動レバーの上記回転軸部は上記上部本体と上記下部本体との間に回転可能に設置されることができる。
【００１５】
そして、上記昇降ガイドバーの下部辺縁領域に設けられる係止突起部と；上記昇降ガイド溝に形成されて、上記昇降ガイドバーの昇降移動の時、上記脱離プレートが上記プラグ挿入口の上部への離脱を阻止するように上記係止突起部が係止される係止溝をさらに含むことができる。
一方、上記目的は、本発明の他の実施形態によるプラグの脱離が容易なマルチタップコンセント装置において、上記複数のコンセントユニットと、上記複数のコンセントユニットにそれぞれ対応して上記各コンセントユニットが上部に露出さするユニット露出口が形成された上部ケースと、上記複数のコンセントユニットを挟んで上記上部ケースと結合されて、上記複数のコンセントユニットを収容支持する下部ケースとを含み；上記それぞれのコンセントユニットに適用される一対の電極は上記下部ケースの板面に設置されることを特徴とするプラグの脱離が容易なマルチタップコンセント装置によっても達成できる。
【００１６】
ここで、上記複数のコンセントユニットのそれぞれの上記底面プレートの下部に相互対向するように複数のコンセントユニットの設置方向に沿って設置される一対の電源ライン部材をさらに含み；上記各コンセントユニットに適用される一対ずつの上記電極は上記  一対の電源ライン部材にそれぞれ形成することができる。
【００１７】
そして、上記各コンセントユニットは上記底面プレートの下部に設けられて、一対ずつの上記電極がそれぞれ結合される一対の電極結合部をさらに含むことができる。
また、上記各電極は上記電極挿入部に挿入された状態で上記プラグの端子が挿入されて電気的に連結される円筒状の電極連結部と、上記電極連結部から半径方向外側に相互対向するように延長された一対の弾性結合部とを含み；上記各電極結合部は、上記電極連結部が挿入される内径が円筒状の電極挿入孔と、上記電極挿入孔の一領域が截取して形成され、上記電極連結部が上記電極挿入孔に挿入される時、上記一対の電極挿入孔に弾性的に挟まれる結合截取部とを含むことができる。
【００１８】
ここで、上記各電極結合部は上記電極挿入孔の一領域が截取されて形成され、上記電極連結部が上記電極結合孔に挿入される時、上記電源ライン部材が挿入されるライン截取部をさらに含むことができる。
【００１９】
また、上記複数のコンセントユニットは円形に配置され；上記上部ケース及び上記下部ケースの外径は円形に設けられ；上記上部ケースと上記下部ケースの外径に沿って電源ケーブルの巻線のためのケーブル巻線部が設けることができる。
そして、上記上部ケース及び上記下部ケースの中の少なくとも一端に半径方向内側及び外側に移動可能に設置されて、上記ケーブル巻線部に巻線された電源ケーブルを半径方向内側に加圧する少なくとも一つのケーブル加圧部をさらに含むことができる。
【発明の効果】
【００２０】
上記のような構成を有する本発明によれば、プラグの脱離が容易なコンセントユニット及びこれを利用したマルチタップコンセント装置が提供される。
また、一つのプラグを接続するコンセントをユニット単位で製作して、２つ又はそれ以上のコンセントユニットで構成されるマルチタップコンセント装置の製作が容易になる。
そして、マルチタップコンセント装置の製作において、構造を簡素化して、製作が容易なマルチタップコンセント装置が提供される。
【図面の簡単な説明】
【００２１】
【図１】通常のコンセントの構成を示した図面
【図２】本発明によるマルチタップコンセント装置の斜視図
【図３】図２のマルチタップコンセント装置の分解斜視図
【図４】本発明によるコンセントユニットの斜視図
【図５】図４のＶ−Ｖ線による断面図
【図６】図４のコンセントユニットの分解斜視図
【図７】本発明によるコンセントユニットの作動レバーと接地部材との間の結合関係の説明図
【図８】本発明によるマルチタップコンセント装置で底面プレートの下部に電極が設置される構成の例を説明するための図
【図９】本発明によるマルチタップコンセント装置で底面プレートの下部に電極が設置される構成の例を説明するための図
【図１０】本発明の他の実施例によるマルチタップコンセント装置の斜視図
【発明を実施するための形態】
【００２２】
本発明はプラグの脱離が容易なコンセントユニットにおいて、上記プラグが挿入されるプラグ挿入口と、上記プラグ挿入口の底面を形成し、板面に上記プラグの端子が挿入される一対の端子孔が形成された底面プレートと、上記底面プレートの下部に設置されて、上記プラグの端子が接続される一対の電極を有するコンセント本体と；板面に上記プラグの端子が挿通する一対のプラグ挿通孔が形成され、上記プラグの端子が上記プラグ挿通孔及び上記端子孔を通じて上記電極に接続可能になるように下降させる接続位置と上記プラグの端子が上記電極から脱離するように上記プラグを上昇させる接続解除位置との間を移動可能に上記プラグ挿入口に昇降移動可能に設置される脱離プレートと；上記脱離プレートが上記接続位置に位置した状態で、使用者の操作によって、上記脱離プレートを上記接続解除位置に上昇させる脱離操作モジュールとを含むことを特徴とするプラグの脱離が容易なコンセントユニットによって具現化される。
【００２３】
以下、添付された図面を参照して本発明による実施例を詳しく説明する。
【００２４】
図２は本発明によるマルチタップコンセント装置１の斜視図で、図３は図２のマルチタップコンセント装置１の分解斜視図である。図２及び図３を参照して説明すれば、本発明によるマルチタップコンセント装置１は、複数のコンセントユニット２００及びこれを収容する本体ケース１００を含む。ここで、本体ケース１００は上部ケース１１０及び下部ケース１２０を含む。
【００２５】
複数のコンセントユニット２００のそれぞれにはプラグが挿入されて、外部からの電力が各コンセントユニット２００を通じてプラグに供給される。ここで、複数のコンセントユニット２００は独立に分離された状態で上部ケース１１０及び下部ケース１２０に収容される。図２及び図３では４つのコンセントユニット２００が上部ケース１１０と下部ケース１２０に収容される例に示す。
【００２６】
以下、図４〜図６を参照して、本発明によるコンセントユニット２００について詳しく説明する。図４は本発明によるコンセントユニット２００の斜視図で、図５は図４のＶ−Ｖ線による断面図で、図６は図４のコンセントユニット２００の分解斜視図である。
【００２７】
図４〜図６を参照して説明すれば、本発明によるコンセントユニット２００は、コンセント本体２１０，２２０、脱離プレート２３０及び脱離操作モジュールを含む。
【００２８】
コンセント本体２１０，２２０は本発明によるコンセントユニット２００がプラグの挿入を通じて電力を供給するための基本構成を含む。より具体的に説明すれば、本発明によるコンセント本体２１０，２２０はプラグ挿入口２１４、底面プレート２１２  及び一対の電極２６１を含む。ここで、本発明によるコンセント本体２１０，２２０は上部本体２１０と下部本体２２０とを含むことを例とする。
【００２９】
上部本体２１０にはプラグ挿入口２１４及び底面プレート２１２が形成される。
【００３０】
プラグ挿入口２１４にはプラグが挿入され、プラグ挿入口２１４の内部形状はプラグの外部形状、即ち規格化されたプラグが挿入可能な形状を有する。
【００３１】
底面プレート２１２はプラグ挿入口２１４の底面を形成する。そして、底面プレート２１２の板面にはプラグの端子が挿入される一対の端子孔２１２ａが形成されて、プラグの挿入時、端子孔２１２ａを通過したプラグの端子が底面プレート２１２の下部に位置する一対の電極２６１に接続される。
【００３２】
下部本体２２０は上部本体２１０の下部に結合される。そして、下部本体２２０には底面プレート２１２の端子孔２１２ａに対応する位置に一対の電極２６１が設置されることによって、プラグを挿入する時、端子孔２１２ａを通過したプラグの端子がその下部に位置する一対の電極２６１に接続可能になる。ここで、本発明による一対の電極２６１の構造は後で詳細に説明する。
【００３３】
一方、脱離プレート２３０は底面プレート２１２に対向するようにプラグ挿入口２１４の内部に設置される。そして、脱離プレート２３０の板面にはプラグの端子が挿通する一対のプラグ挿通孔２３１が形成される。それによって、プラグがプラグ挿入口２１４に挿入される時、プラグの端子は脱離プレート２３０のプラグ挿通孔２３１と底面プレート２１２の端子孔２１２ａを通過して底面プレート２１２の下部に位置する電極２６１に接続される。
【００３４】
また、脱離プレート２３０はプラグ挿入口２１４に昇降移動可能に設置される。
【００３５】
より具体的に説明すれば、脱離プレート２３０はプラグ挿入口２１４の内部で接続位置と接続解除位置との間を昇降移動可能に設置される。
ここで、脱離プレート２３０の接続位置はプラグがプラグ挿入口２１４に挿入されて、プラグの端子がプラグ挿通孔２３１及び端子孔２１２ａを通じて電極２６１に接続可能に下降する位置にあたる。そして、脱離プレート２３０の接続解除位置はプラグの端子が電極２６１から脱離されるようにプラグを昇降させる位置にあたる。
【００３６】
本発明では、脱離プレート２３０から下部方向へ延長される一対の昇降ガイドバー２３３が設けられ、上部本体２１０の上記プラグ挿入口２１４の内側壁面に一対の昇降ガイドバー２３３の昇降移動を案内する昇降ガイド溝２１３が設けられて、脱離プレート２３０の昇降移動の時、昇降ガイド溝２１３に昇降ガイドバー２３３が挿入された状態でガイドされて、脱離プレート２３０の昇降移動がガイドされることを例とする。
また、昇降ガイドバー２３３の下部辺縁には係止突起部２３４が形成されて、昇降ガイドバー２３３が一定高さに昇降する場合、係止突起部２３４が昇降ガイド溝２１３に形成された係止溝２１４に係止されることによって、脱離プレート２３０がプラグ挿入口２１４から上部へ離脱されることを阻止するようになる。
【００３７】
上記構成を通じて、使用者がプラグをプラグ挿入口２１４に挿入すると、脱離プレート２３０が接続位置に下降してプラグの端子が電極２６１に接続し、使用者がプラグをコンセントユニット２００から脱離するために後述する方法で脱離操作モジュールを操作すると、脱離プレート２３０が接続解除位置に上昇してプラグがプラグ挿入口２１４から脱離されることによって、使用者が容易にプラグを脱離することができる。
脱離操作モジュールは、脱離プレート２３０が接続位置に位置した状態で、使用者の操作によって脱離プレート２３０を接続解除位置に上昇させることによって、プラグをプラグ挿入口２１４から脱離させる。
【００３８】
ここで、本発明による脱離操作モジュールは、図５及び図６に示すように、作動レバー２４２とプッシュボタン２４１とを含むことを例とする。
作動レバー２４２はコンセント本体２１０，２２０に回転可能に設置される。図５及び図６を参照してより具体的に説明すれば、作動レバー２４２はプレート接触部２４３、回転軸部２４５及びプッシュ接触部２４４を含むことができる。
【００３９】
プレート接触部２４３は作動レバー２４２の一端辺縁領域に設けられて脱離プレート２３０の下部面と接触する。そして、プッシュ接触部２４４は作動レバー２４２の他端辺縁領域、即ち回転軸部２４５を挟んでプレート接触部２４３の反対側に設けられて、プッシュボタン２４１の下部面と接触する。
【００４０】
ここで、回転軸部２４５はプレート接触部２４３とプッシュ接触部２４４との間に設けられて、作動レバー２４２は回転軸部２４５を軸として回転可能にコンセント本体２１０，２２０に設置される。本発明では、作動レバー２４２の回転軸部２４５がコンセント本体２１０，２２０の上部本体２１０と下部本体２２０との間に回転可能に設置されることを例とし、上部本体２１０と下部本体２２０の内の何れか一方には回転軸部２４５を軸として回転可能に支持する回転軸支持部が形成される。
プッシュボタン２４１はコンセント本体２１０，２２０に昇降移動可能に設置される。本発明では、コンセント本体２１０，２２０の上部本体２１０にプッシュボタン２４１の昇降移動を支持するボタン支持部２１５が設けられることを例とする。
【００４１】
ここで、ボタン支持部２１５にはプッシュボタン２４１が挿入されるボタン挿入孔２１５ａが形成されて、プッシュボタン２４１の下部面が作動レバー２４２のプッシュ接触部２４４と接触し、プッシュボタン２４１の上部がボタン挿入孔２１５ａを通じてボタン支持部２１５の上部に露出する。
【００４２】
そして、プッシュボタン２４１はプレート接触部２４３が脱離プレート２３０を接続解除方向に上昇させるようにプッシュ接触部２４４を下降させる。より具体的に説明すれば、プラグがプラグ挿入口２１４に挿入された状態、即ち脱離プレート２３０が接続位置に位置した状態で、使用者がプッシュボタン２４１を押してプッシュボタン２４１を下降させてプッシュ接触部２４４を下降させる、作動レバー２４２が回転軸部２４５を軸として回転してプッシュ接触部２４４の反対側に位置するプレート接触部２４３が上昇する。この時、プレート接触部２４３が脱離プレート２３０を接続解除方向に上昇させることによって、脱離プレート２３０がプラグをプラグ挿入口２１４から分離させる。
【００４３】
ここで、底面プレート２１２には、その下部に位置する作動レバー２４２のプレート接触部２４３がその上部に位置する脱離プレート２３０の下部面と接触可能になるようにプレート接触部２４３が挿通するレバー挿通孔２１２ｂが形成されている。
【００４４】
上記のような構成によって、使用者はプッシュボタン２４１を押す動作だけでコンセントユニット２００に結合されたプラグを容易に脱離することができる。また、プッシュボタン２４１の操作によって脱離プレート２３０がプラグの表面全体を押し上げるようになって、より安定的にプラグの脱離が可能になる。
【００４５】
ここで、ボタン支持部２１５には、図５に示したように、プッシュボタン２４１を上昇する方向に加圧する弾性部材２４７が設置されることを例とする。それによって、プラグが挿入されない状態でも弾性部材２４７の弾性力によって脱離プレート２３０は接続位置に位置するようになる。プラグが挿入された後使用者がプッシュボタン２４１を押してプラグを分離した後にも、脱離プレート２３０が再び接続位置に移動するようになってプラグ挿入口２１４の内部が通常のコンセント形状を保持する。
【００４６】
一方、本発明によるコンセントユニット２００には、プラグの接続時、プラグを接地させる接地部材２５０を含む。ここで、接地部材２５０はプラグ挿入口２１４の内側壁面に露出してプラグが接地される一対の接地部２５１を含むことができる。そして、一対の接地部２５１は底面プレート２１２の下部で連結部２５２によって連結される。即ち、本発明による接地部材２５０は一対の接地部２５１とこれを連結する連結部２５２が一体に形成される。
【００４７】
そして、連結部２５２は、図５に示すように、作動レバー２４２の長さ方向に沿って延長される。作動レバー２４２には、図７に示すように、一対の接地部２５１の内の何れか一つが挿通する接地挿通孔２４６が形成されている。
【００４８】
これによって、連結部２５２が底面プレート２１２の下部に位置しながら作動レバー２４２の長さ方向に沿って延長される時、一つの接地部２５１が連結部２５２の上部に位置する作動レバー２４２の接地挿通孔２４６を挿通して底面プレート２１２の上部に延長されて、プラグ挿入口２１４の内側壁に露出することができる。
【００４９】
ここで、一対の接地部２５１がプラグ挿入口２１４の内部に延長されることができるように、底面プレート２１２と脱離プレート２３０にはそれぞれ接地部２５１が挿通する第１接地挿通孔２３２及び第２接地挿通部（未図示）が形成されることは勿論である。図６では脱離プレート２３０に第１接地挿通孔２３２が板面の内側反方向に陷沒されて形成されることを例としている。
【００５０】
一方、それぞれのコンセントユニット２００に適用される一対の電極２６１は底面プレート２１２の下部に設置される。図８及び図９は本発明によるマルチタップコンセント装置１で底面プレート２１２の下部に電極２６１が設置される構成の例を説明するための図面である。
図８及び図９を参照して説明すれば、本発明によるマルチタップコンセント装置１は一対の電源ライン部材２６０を含むことができる。電源ライン部材２６０は複数のコンセントユニット２００のそれぞれの底面プレート２１２の下部に相互対向するようにコンセントユニット２００の設置方向に沿って設置される。そして、各コンセントユニット２００に適用される一対ずつの電極２６１は一対の電源ライン部材２６０にそれぞれ形成される。
【００５１】
ここで、各コンセントユニット２００は、図８及び図９に示すように、底面プレート２１２の下部に設けられて、一対ずつの電極２６１がそれぞれ結合される一対の電極結合部２７０を含むことができる。
【００５２】
各電極２６１は、図９に示すように、円筒状の電極連結部２６１ａと、一対の弾性結合部２６１ｂとを含むことができる。電極連結部２６１ａは電極結合部２７０に挿入された状態でプラグの端子が挿入されて電気的に連結される。そして、一対の弾性結合部２６１ｂは電極連結部２６１ａから半径方向外側に相互対向するように延長される。
【００５３】
本発明では、電極連結部２６１ａの円筒状の一部が切断された形状を有し、一対の弾性結合部２６１ｂが切断された領域から半径方向外側へそれぞれ延長されて形成されることを例とする。
そして、コンセントユニット２００の各電極結合部２７０は電極挿入孔２７３と、結合截取部２７２とを含むことができる。電極挿入孔２７３は、図９に示すように、電極連結部２６１ａが挿入されるように内径が円筒状を有する。そして、結合截取部２７２は電極挿入孔２７３の一領域が截取されて形成されるが、電極連結部２６１ａが電極挿入孔２７３に挿入される時、一対の電極挿入孔２７３に弾性的に挿入される。
【００５４】
上記のような構成によって、複数のコンセントユニット２００に電力を供給するための一対ずつの電極２６１が一対の電源ライン部材２６０に形成され、各電極２６１の電極連結部２６１ａが電極結合部２７０の電極挿入孔２７３に挿入されて、底面プレート２１２に形成された端子孔２１２ａを通じてプラグの端子と電気的に連結され、電極２６１を構成する一対の弾性結合部２６１ｂが弾性的に結合截取部２７２に挿入されることによって、図８に示すように、複数のコンセントユニット２００の下部に一対の電極２６１が結合可能になる。
【００５５】
ここで、電極結合部２７０は電極挿入孔２７３の一つ領域が截取されて形成されるライン截取部２７１を含むことができる。ライン截取部２７１には、電極連結部２６１ａが電極挿入孔２７３に挿入される時、電源ライン部材２６０が挿入されることによって、電極結合部２７０が電極挿入孔２７３に挿入可能にする。
【００５６】
また、底面プレート２１２の下部には電源ライン部材２６０がより安定的に各コンセントユニット２００の下部に位置するように、電源ライン部材２６０が挿入されるライン挿入部２８０を形成することができる。
次に、図２及び図３を参照して本発明によるマルチタップコンセント装置１について説明する。
【００５７】
上部ケース１１０には、図３に示すように、複数のコンセントユニット２００にそれぞれ対応して、各コンセントユニット２００が上部に露出するようにするユニット露出口１１１が形成される。そして、下部ケース１２０はそれぞれのコンセントユニット２００を挟んで上部ケース１１０と結合して複数のコンセントユニット２００を収容支持する。
【００５８】
そして、図２及び図３の未説明の参照符号４００はマルチタップコンセント装置１への電力供給を制御する電源スイッチであり、１３３は上部ケース１１０に形成されて、電源スィッチ４００を上部ケース１１０に露出させるスイッチ露出孔である。
【００５９】
図１０は本発明の他の実施形態によるマルチタップコンセント装置１ａの例を示す図面である。図１０に示されたマルチタップコンセント装置１ａは複数のコンセントユニット２００が円形に配置されることを例としている。
そして、上部ケース１１０ａ及び下部ケース１２０ａの外径が円形に設けられることを例としている。ここで、マルチタップコンセント装置１ａには、上部ケース１１０ａと下部ケース１２０ａの外径に沿って電源ケーブルの巻取のためのケーブル巻線部１３０ａが設けられることを例としている。
それによって、マルチタップコンセント装置１に電力を供給するための電源ケーブルの長さを長く形成する場合、該電源ケーブルをケーブル巻線部１３０ａに巻取した状態で保管が可能になり、必要な長さだけ電源ケーブルを解いて利用することができる。
【００６０】
ここで、上部ケース１１０ａ及び下部ケース１２０ａには半径方向内側及び外側に移動可能に設置されるケーブル加圧部１１１ａ，１２１ａが設けられることができる。ケーブル加圧部１１１ａ，１２１ａはケーブル巻線部１３０ａに巻取られた電源ケーブルを半径方向内側に加圧して電源ケーブルがケーブル巻線部１３０ａから離脱されることを阻止する。
【００６１】
図１０では上部ケース１１０ａ及び下部ケース１２０ａの半径方向外側に４つずつのケーブル加圧部１１１ａ，１２１ａが設置されることを例としているが、ケーブル加圧部１１１ａ，１２１ａの構成がその個数に限らないことは勿論である。また、上部ケース１１０ａと下部ケース１２０ａの内の何れか一方のみにケーブル加圧部１１１ａ，１２１ａが設けられることは勿論である。
【００６２】
図面を参照して本発明の実施例を説明したが、本発明が属する技術分野において通常の知識を有する者であれば、本発明の原則や精神から逃脱しない範囲内で本実施例を変形することができることを理解すべきである。また、発明の範囲は特許請求の範囲及びその均等物によって定められる。
【産業上の利用可能性】
【００６３】
本発明は家庭、会社その他の場所に設置されたコンセントに接続されて多数の電子器機のプラグを接続するのに使われる。
【符号の説明】
【００６４】
１：マルチタップコンセント装置  
１００：本体ケース  
１１０：上部ケース
１２０：下部ケース  
２００：コンセントユニット  
２１０：上部本体  
２１２：底面プレート  
２２０：下部本体  
２３０：脱離プレート
２４１：プッシュボタン  
２４２：作動レバー  
２４３：プレート接触部  
２４４：プッシュ接触部  
２４５：回転軸部  
２４６：接地通過孔  
２５０：接地部材
【図１】
2015524153.tif 000003
【図２】
2015524153.tif 000004
【図３】
2015524153.tif 000005
【図４】
2015524153.tif 000006
【図５】
2015524153.tif 000007
【図６】
2015524153.tif 000008
【図７】
2015524153.tif 000009
【図８】
2015524153.tif 000010
【図９】
2015524153.tif 000011
【図１０】
2015524153.tif 000012
【国際調査報告】
2015524153.tif 000013
2015524153.tif 000014
2015524153.tif 000015
2015524153.tif 000016